(57)【要約】    【構成】携帯電話機１０は、キー入力装置２６、ディスプレイ３０およびＲＡＭ３８などを備える。また、省電力モードが設定可能な携帯電話機１０は、ディスプレイ３０が高輝度表示で、キー入力操作が行われないまま、特定時間が経過すると、省電力状態に遷移する。ＲＡＭ３８には、ユーザ設定値および省電力設定値が読み出される２つのテーブルが記憶される。使用者によって任意に設定された時間は、ユーザ設定値としてＲＡＭ３８のユーザ設定テーブルに記憶される。そして、携帯電話機１０に省電力モードが設定され、ディスプレイ３０が高輝度表示に切り替えられると、プロセッサ２４はユーザ設定値が省電力設定値より短ければ、ユーザ設定値を特定時間として設定する。    【効果】省電力モードの設定よりも、使用者による設定の方が消費電力を抑えることができれば、使用者の設定が優先される。【選択図】図１
2011233948.tif 000002
【特許請求の範囲】
【請求項１】
消費電力を抑える省電力モードが設定でき、特定状態で特定時間が経過すると省電力状態に遷移する、携帯電話機であって、
前記省電力モードにおいて、前記省電力状態に遷移させるための時間を第１設定時間として記憶する第１記憶部、
任意に設定された時間を、前記省電力状態に遷移させるための第２設定時間として記憶する第２記憶部、
前記省電力モードが設定され、さらに前記特定状態のとき、前記第２設定時間が前記第１設定時間よりも短いか否かを判断する判断部、および
前記判断部によって前記第２設定時間が前記第１設定時間よりも短いと判断されたとき、前記第２設定時間を前記特定時間として設定する設定部を備える、携帯電話機。
【請求項２】
ディスプレイ、および
前記ディスプレイを高輝度表示または低輝度表示に切り替える切換部をさらに備え、
前記特定状態は、前記ディスプレイが前記高輝度表示に切り替えられた状態を含み、
前記省電力状態では、前記ディスプレイが前記低輝度表示に切り替えられる、請求項１記載の携帯電話機。
【請求項３】
入力操作が行われる入力部をさらに備え、
前記特定状態は、前記ディスプレイが前記高輝度表示に切り替えられ、前記入力部に対して入力操作が行われない状態をさらに含む、請求項２記載の携帯電話機。
【請求項４】
消費電力を抑える省電力モードが設定でき、特定状態で特定時間が経過すると省電力状態に遷移し、前記省電力モードにおいて、前記省電力状態に遷移させるための時間を第１設定時間として記憶する、携帯電話機のプロセッサを、
任意に設定された時間を、前記省電力状態に遷移させるための第２設定時間として記憶する記憶部、
前記省電力モードが設定され、さらに前記特定状態のとき、前記第２設定時間が前記第１設定時間よりも短いか否かを判断する判断部、および
前記判断部によって前記第２設定時間が前記第１設定時間よりも短いと判断されたとき、前記第２設定時間を前記特定時間として設定する設定部として機能させる、省電力制御プログラム。
【請求項５】
消費電力を抑える省電力モードが設定でき、特定状態で特定時間が経過すると省電力状態に遷移し、前記省電力モードにおいて、前記省電力状態に遷移させるための時間を第１設定時間として記憶する、携帯電話機の省電力制御方法であって、
任意に設定された時間を、前記省電力状態に遷移させるための第２設定時間として記憶し、
前記省電力モードが設定され、さらに前記特定状態のとき、前記第２設定時間が前記第１設定時間よりも短いか否かを判断し、そして
前記第２設定時間が前記第１設定時間よりも短いと判断されたとき、前記第２設定時間を前記特定時間として設定する、省電力制御方法。
【発明の詳細な説明】
【技術分野】
【０００１】
この発明は、携帯電話機、省電力制御プログラムおよび省電力制御方法に関し、特に消費電力を抑える省電力モードが設定可能な、携帯電話機に関する。
【背景技術】
【０００２】
従来、特にたとえば消費電力を抑える省電力モードが設定可能な携帯電話機は広く知られており、この種の装置の一例が特許文献１に開示されている。この背景技術の携帯情報端末装置は、省電力モードにおける装置各部の各パラメータとして、キーＬＥＤおよびＬＣＤバックライトの点灯のオン／オフと持続時間、バイブレータのオン／オフおよびＬＣＤパーシャルモードまでの時間などを記憶するメモリを備える。そして、携帯情報端末装置の筐体にはスタミナモード設定キーが設けられており、スタミナモード設定キーが操作されると、ＣＰＵはメモリに記憶された各パラメータの設定内容を読み出し、省電力モードを設定する。
【特許文献１】特開２００２−３５３８８２号公報［H04B 7/26, H04M 1/00, H04M 1/73］
【発明の概要】
【発明が解決しようとする課題】
【０００３】
ところが、背景技術の携帯情報端末装置の省電力モードでは、省電力モードの設定が優先されてしまい、ユーザが個別に設定したパラメータが優先されるようなことは無かった。
【０００４】
それゆえに、この発明の主たる目的は、新規な、携帯電話機、省電力制御プログラムおよび省電力制御方法を提供することである。
【０００５】
この発明の他の目的は、省電力モードであっても、使用者の設定を優先することができる、携帯電話機、省電力制御プログラムおよび省電力制御方法を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、消費電力を抑える省電力モードが設定でき、特定状態で特定時間が経過すると省電力状態に遷移する、携帯電話機であって、省電力モードにおいて、省電力状態に遷移させるための時間を第１設定時間として記憶する第１記憶部、任意に設定された時間を、省電力状態に遷移させるための第２設定時間として記憶する第２記憶部、省電力モードが設定され、さらに特定状態のとき、第２設定時間が第１設定時間よりも短いか否かを判断する判断部、および判断部によって第２設定時間が第１設定時間よりも短いと判断されたとき、第２設定時間を特定時間として設定する設定部を備える、携帯電話機である。
【０００８】
第１の発明では、携帯電話機（１０：実施例において対応する部分を例示する参照符号。以下、同じ。）は、使用者による操作に応じて、消費電力を抑える省電力モードが設定される。また、携帯電話機は、電力消費が大きい特定状態で特定時間が経過すると、消費電力を抑えるために省電力状態に遷移する。第１記憶部（３８）は、たとえばＲＡＭなどの記憶装置であり、電力モードにおいて省電力状態に遷移させるための時間として、第１設定時間（省電力設定値）を記憶する。また、第２記憶部（２４，Ｓ１１）は、たとえば使用者によって任意に設定された時間を、省電力状態に遷移させるための第２設定時間（ユーザ設定値）として記憶する。判断部（２４，Ｓ２３）は、たとえば、携帯電話機に省電力モードが設定され、特定状態に遷移すると、第２設定時間が第１設定時間よりも短いか否かを判断する。設定部（２４，Ｓ２７）は、第２設定時間が第１設定時間よりも短いと判断されると、第２設定時間を特定時間として設定する。
【０００９】
第１の発明によれば、第１設定時間よりも短い第２設定時間が特定時間として設定されるため、第１設定時間が特定時間として設定される場合に比べて消費電力が抑えられる。そのため、省電力モードの設定よりも、使用者による設定の方が消費電力を抑えることができれば、使用者の設定を優先することができる。
【００１０】
第２の発明は、第１の発明に従属し、ディスプレイ、およびディスプレイを高輝度表示または低輝度表示に切り替える切換部をさらに備え、特定状態は、ディスプレイが高輝度表示に切り替えられた状態を含み、省電力状態では、ディスプレイが低輝度表示に切り替えられる。
【００１１】
第２の発明では、携帯電話機は、ディスプレイ（３０）を備え、切換部（３２）は、ディスプレイの高輝度表示、またはディスプレイの消費電力が高輝度表示よりも低い低輝度表示を切り替える。たとえば、ディスプレイが高輝度表示に切り替えられてから特定時間が経過すると、ディスプレイが低輝度表示に切り替えられる。
【００１２】
第２の発明によれば、消費電力が大きいディスプレイが、省電力状態では低輝度表示に切り替えられるため、効果的に消費電力を抑えることができる。
【００１３】
第３の発明は、第２の発明に従属し、入力操作が行われる入力部（２６）をさらに備え、特定状態は、ディスプレイが高輝度表示に切り替えられ、入力部に対して入力操作が行われない状態をさらに含む。
【００１４】
第３の発明では、入力部（２６）は、キー入力装置とも呼ばれ、使用者によって入力操作が行われる。そして、特定状態には、ディスプレイが高輝度表示に切り替えられ、入力部に対して入力操作が行われない状態が含まれる。
【００１５】
第３の発明によれば、消費電力が大きい状態で、携帯電話機が使用されないまま放置されると、省電力状態に遷移する。
【００１６】
第４の発明は、消費電力を抑える省電力モードが設定でき、特定状態で特定時間が経過すると省電力状態に遷移し、省電力モードにおいて、省電力状態に遷移させるための時間を第１設定時間として記憶する、携帯電話機（１０）のプロセッサ（２４）を、任意に設定された時間を、省電力状態に遷移させるための第２設定時間として記憶する記憶部（Ｓ１１）、省電力モードが設定され、さらに特定状態のとき、第２設定時間が第１設定時間よりも短いか否かを判断する判断部（Ｓ２３）、および判断部によって第２設定時間が第１設定時間よりも短いと判断されたとき、第２設定時間を特定時間として設定する設定部（Ｓ２７）として機能させる、省電力制御プログラムである。
【００１７】
第４の発明でも、第１の発明と同様に、省電力モードの設定よりも、使用者による設定の方が消費電力を抑えることができれば、使用者の設定を優先することができる。
【００１８】
第５の発明は、消費電力を抑える省電力モードが設定でき、特定状態で特定時間が経過すると省電力状態に遷移し、省電力モードにおいて、省電力状態に遷移させるための時間を第１設定時間として記憶する、携帯電話機（１０）の省電力制御方法であって、任意に設定された時間を、省電力状態に遷移させるための第２設定時間として記憶し（Ｓ１１）、省電力モードが設定され、さらに特定状態のとき、第２設定時間が第１設定時間よりも短いか否かを判断し（Ｓ２３）、そして第２設定時間が第１設定時間よりも短いと判断されたとき、第２設定時間を特定時間として設定する（Ｓ２７）、省電力制御方法である。
【００１９】
第５の発明でも、第１の発明と同様に、省電力モードの設定よりも、使用者による設定の方が消費電力を抑えることができれば、使用者の設定を優先することができる。
【発明の効果】
【００２０】
この発明によれば、省電力モードの設定よりも、使用者による設定の方が、消費電力を抑えることができれば、使用者の設定が優先される。
【００２１】
この発明の上述の目的、その他の目的、特徴および利点は、図面を参照して行う以下の実施例の詳細な説明から一層明らかとなろう。
【図面の簡単な説明】
【００２２】
【図１】図１はこの発明の一実施例の携帯電話機の電気的な構成を示すブロック図である。
【図２】図２は図１に示す携帯電話機の外観を示す図解図である。
【図３】図３は図１に示すＲＡＭに記憶されるユーザ設定テーブルおよび省電力テーブルの構成の一例を示す図解図である。
【図４】図４は図３に示すユーザ設定テーブルの構成の他の一例を示す図解図である。
【図５】図５は図１に示すＲＡＭのメモリマップの一例を示す図解図である。
【図６】図６は図１に示すプロセッサのユーザ設定処理を示すフロー図である。
【図７】図７は図１に示すプロセッサの高輝度表示制御処理を示すフロー図である。
【発明を実施するための形態】
【００２３】
図１を参照して、この実施例の携帯電話機１０は携帯端末の一種であり、CPUまたはコンピュータと呼ばれるプロセッサ２４を含む。このプロセッサ２４には、無線通信回路１４、Ａ／Ｄ１６、第１Ｄ／Ａ２０ａ、第２Ｄ／Ａ２０ｂ、キー入力装置２６、表示ドライバ２８、ＢＬ（Back Light:バックライト）制御回路３２、フラッシュメモリ３６、ＲＡＭ３８、ＬＥＤ制御回路４０、磁気センサ４４および電源回路４８が接続される。また、無線通信回路１４にはアンテナ１２が接続され、Ａ／Ｄ１６にはマイク１８が接続され、第１Ｄ／Ａ２０ａおよび第２Ｄ／Ａ２０ｂにはアンプ（図示せず）を介して、第１スピーカ２２ａおよび第２スピーカ２２ｂが接続される。また、表示ドライバ２８にはディスプレイ３０が接続され、ＢＬ制御回路３２にはディスプレイ３０の視認性を向上させるためのバックライト３４が接続される。また、ＬＥＤ制御回路４０には第１ＬＥＤ４２ａおよび第２ＬＥＤ４２ｂが接続され、電源回路４８には二次電池５０が接続される。
【００２４】
プロセッサ２４は、携帯電話機１０の全体制御を司る。第１記憶部であるＲＡＭ３８は、プロセッサ２４の作業領域（描画領域を含む）ないしバッファ領域として用いられる。フラッシュメモリ３６には、携帯電話機１０の文字、画像、音声、音および映像のようなコンテンツのデータなどが記録される。
【００２５】
Ａ／Ｄ１６は、当該Ａ／Ｄ１６に接続されたマイク１８を通して入力される音声ないし音についてのアナログ音声信号を、デジタル音声信号に変換する。第１Ｄ／Ａ２０ａおよび第２Ｄ／Ａ２０ｂは、デジタル音声信号をアナログ音声信号に変換（復号）して、アンプを介して第１スピーカ２２ａおよび第２スピーカ２２ｂに与える。したがって、アナログ音声信号に対応する音声ないし音が第１スピーカ２２ａおよび第２スピーカ２２ｂから出力される。
【００２６】
入力部であるキー入力装置２６は、通話キーおよび終話キーなどを備えるとともに、「０」−「９」キー、「＊」キーおよび「＃」キーを含むダイヤルキーも備える。そして、使用者が操作したキーの情報（キーデータ）がプロセッサ２４に入力される。
【００２７】
なお、キー入力装置２６に含まれる各キーが操作されると、フィードバック処理が実行され、第２スピーカ２２ｂからフィードバック音が出力される。そのため、使用者は、フィードバック音を聞くことで、キー入力操作に対する操作感を得ることができる。
【００２８】
表示ドライバ２８は、プロセッサ２４の指示の下、当該表示ドライバ２８に接続されたディスプレイ３０の表示を制御する。なお、表示ドライバ２８は表示する画像データを一時的に記憶するビデオメモリ（図示せず）を含む。
【００２９】
ＢＬ制御回路３２は、プロセッサ２４の指示の下、当該ＢＬ制御回路３２に接続されたバックライト３４の輝度を制御する。また、バックライト３４は、ディスプレイ３０に含まれる表示パネルに対してエッジライト方式に基づいて設置される。つまり、ＢＬ制御回路３２は、バックライト３４を制御することで、ディスプレイ３０を高輝度表示または低輝度表示に切り替えることができる。そのため、ＢＬ制御回路３２は切換部と呼ばれることもある。
【００３０】
ただし、ディスプレイ３０の高輝度表示が維持されると、消費電力が高くなる。そのため、ディスプレイ３０が高輝度表示に切り替えられ、キー入力装置２６に対してキー入力操作されない状態（無操作状態）のまま特定時間が経過すると、ディスプレイ３０が低輝度表示に切り替えられる。つまり、携帯電話機１０は、ディスプレイ３０を低輝度表示に切り替えることで、省電力状態に遷移することができる。なお、バックライト３４の光源としては、ＬＥＤが採用されるが、冷陰極管などが採用されてもよい。また、本実施例の省電力状態には、ディスプレイ３０およびバックライト３４の電源がオフにされる状態も含まれる。
【００３１】
ＬＥＤ制御回路４０は、プロセッサ２４の指示の下、当該ＬＥＤ制御回路３２に接続された第１ＬＥＤ４２ａの輝度および第２ＬＥＤ４２ｂの発光色を制御する。第１ＬＥＤ４２ａはキー入力装置２６に含まれるキーの背面に取り付けられている。そのため、第１ＬＥＤ４２ａが発光すると、キーの視認性が向上する。また、第２ＬＥＤ４２ｂは、携帯電話機１０の状態を、発光色や点滅の間隔によって通知することができる。たとえば、本実施例では、第２ＬＥＤ４２ｂの発光色や点滅によって、音声着信の状態を通知できる。
【００３２】
磁気センサ４４は、磁石４６が発する磁気を検知し、磁気の値をプロセッサ２４に出力する。そして、プロセッサ２４は、磁気センサ４４が出力する磁気の値に応じて、携帯電話機１０の開閉（図２参照）を検知する。
【００３３】
電源回路４８は、二次電池５０の電圧に基づく電源をシステム全体に供給する。ここで、電源回路４８が電源をシステム全体に供給している場合には、電源オン状態と言うことにする。一方、電源回路４８が電源をシステム全体に供給していない場合には、電源オフ状態と言うことにする。電源回路４８は、電源オフ状態で、キー入力装置２６によって電源オン操作がされると起動され、電源オフ状態で、キー入力装置２６による電源オフ操作がされると停止される。さらに、電源オフ状態であっても、電源回路４８は、二次電池５０の充電を検出すると起動し、二次電池５０の充電が完了するのに応答して停止する。また、二次電池５０が充電されている状態を充電状態と言う。さらに、「充電」とは、端子Ｔａ，Ｔｂが外部電源と接続され外部電源から電力の供給を受け、二次電池５０が電気エネルギーを蓄えることを言う。
【００３４】
なお、端子Ｔａは＋端子であり、端子Ｔｂは−端子である。また、電源回路４８は、二次電池５０の電流値を測定することで、充電を検出する。さらに、プロセッサ２４は、充電回路４８から充電状態が通知されると、第２ＬＥＤ４２ｂを、たとえば赤色に発光させる。
【００３５】
無線通信回路１４は、CDMA方式での無線通信を行うための回路である。たとえば、使用者がキー入力装置２６を用いて音声発信を指示すると、無線通信回路１４は、プロセッサ２４の指示の下、音声発信処理を実行し、アンテナ１２を介して音声発信信号を出力する。音声発信信号は、基地局および通信網（図示せず）を経て相手の電話機に送信される。そして、相手の電話機において着信処理が行われると、接続状態（通信可能状態）が確立され、プロセッサ２４は通話処理を実行する。
【００３６】
通常の通話処理について具体的に説明すると、相手の電話機から送られてきた変調音声信号（高周波信号）はアンテナ１２によって受信される。受信された変調音声信号には、無線通信回路１４によって復調処理および復号処理が施される。そして、これらの処理によって得られた受話音声信号は、第１Ｄ／Ａ２０ａによってアナログ音声信号に変換された後、第１スピーカ２２ａから出力される。一方、マイク１８を通して取り込まれた送話音声信号は、Ａ／Ｄ１６によってデジタル音声信号に変換された後、プロセッサ２４に与えられる。デジタル音声信号に変換された送話信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００３７】
また、相手の電話機からの発信信号がアンテナ１２によって受信されると、無線通信回路１４は、着呼（音声着信ともいう）をプロセッサ２４に通知する。これに応じて、プロセッサ２４は、表示ドライバ２８を制御して、着信通知に記述された発信元情報（電話番号）をディスプレイ３０に表示する。また、これとほぼ同時に、プロセッサ２４は、第２スピーカ２２ｂから着信音（着信メロディ、着信音声と言うこともある。）を出力させ、第２ＬＥＤ４２ｂを、たとえば緑色で点滅させる。さらに、プロセッサ２４は、図示しないモータを駆動（回転）させることで携帯電話機１０を振動させる。
【００３８】
そして、使用者が、通話キーを用いて応答操作を行うと、無線通信回路１４は、プロセッサ２４の指示の下、音声着信処理を実行し、接続状態（通信可能状態）が確立され、プロセッサ２４は上述した通常の通話処理を実行する。
【００３９】
そして、通話可能状態に移行した後に終話キーによって通話終了操作が行われると、プロセッサ２４は、無線通信回路１４を制御して、通話相手に通話終了信号を送信する。そして、通話終了信号の送信後、プロセッサ２４は、通話処理を終了する。また、先に通話相手から通話終了信号を受信した場合も、プロセッサ２４は、通話処理を終了する。さらに、通話相手によらず、移動通信網から通話終了信号を受信した場合も、プロセッサ２４は通話処理を終了する。
【００４０】
また、携帯電話機１０は、消費電力を抑えるための省電力モードを任意に設定できる、省電力機能を有する。たとえば、携帯電話機１０に省電力モードが設定されると、省電力状態に遷移するための特定時間、第２スピーカ２２ｂによるフィードバック処理、第１ＬＥＤ４２ａおよび第２ＬＥＤ４２ｂの点灯および点滅のタイミングなどに関する設定がまとめて変更される。そして、使用者は、キー入力装置２６に対する操作によって、省電力モードを容易に設定できる。
【００４１】
なお、携帯電話機１０は、ネットワーク（図示せず）に接続されるサーバとのデータ通信を確立することで、メール機能およびブラウザ機能を実行することができる。さらに、ＲＡＭ３８に記憶されているアドレス帳データを管理するアドレス帳機能も実行することができる。
【００４２】
図２（Ａ）は、スライド型の携帯電話機の閉状態の外観を示す外観図であり、図２（Ｂ）は、スライド型の携帯電話機の開状態の外観を示す外観図であり、図２（Ｃ）は、スライド型の携帯電話機の閉状態の外観の裏面を示す外観図である。図２（Ａ）−（Ｃ）を参照して、携帯電話機１０は、各々が平面矩形の第１筐体Ｃ１および第２筐体Ｃ２を有する。また、第１筐体Ｃ１および第２筐体Ｃ２の厚みは略同じである。
【００４３】
第１筐体Ｃ１は第２筐体Ｃ２の上に重ねられた状態で、図示しないスライド機構によって連結される。したがって、図２（Ｂ）に示すように、第１筐体Ｃ１は第２筐体Ｃ２の長さ方向にスライド可能である。また、端子Ｔａおよび端子Ｔｂのそれぞれは、第２筐体Ｃ２の側面に設けられる。なお、第１筐体Ｃ１および第２筐体Ｃ２にそれぞれ内蔵される基板は、フレキシブル・プリント配線基板によって電気的に接続されている。
【００４４】
図示しないマイク１８は第２筐体Ｃ２に内蔵され、内蔵されたマイク１８に通じる開口ＯＰ２は第２筐体Ｃ２の長さ方向一方の上面に設けられる。また、図示しない第１スピーカ２２ａは第１筐体Ｃ１に内蔵され、内蔵された第１スピーカ２２ａに通じる開口ＯＰ１は第１筐体Ｃ１の長さ方向一方の上面に設けられる。さらに、図示しない第２スピーカ２２ｂは第２筐体Ｃ２に内蔵され、内蔵された第２スピーカ２２ｂに通じる開口ＯＰ３は第２筐体の長さ方向他方の下面に設けられる。
【００４５】
キー入力装置２６は、複数のキーを含む第１キー群２６ａと第２キー群２６ｂとを含む。第１キー群２６ａは、方向キー、通話キー、終話キー、メニューおよび確定キーから構成されており、第１筐体Ｃ１の上面に設けられる。また、第２キー群２６ｂは、テンキーなどから構成されており、第２筐体Ｃ２の上面に設けられる。また、ディスプレイ３０は、モニタ画面が第１筐体Ｃ１の上面に露出するように取り付けられる。
【００４６】
たとえば、使用者は、ディスプレイ３０を確認しながら、テンキーを操作して電話番号を入力し、通話キーによって発呼操作を行い、終話キーによって通話終了操作を行う。また、使用者は、メニューキーを操作することでメニュー画面を表示し、方向キーなどによって任意のメニューを選択することができる。さらに、使用者は、確定キーを操作することで、選択されたメニューを確定することができる。そして、使用者は、終話キーを長押しすることで携帯電話機１０の電源をオン／オフする。
【００４７】
また、第１筐体Ｃ１の長さ方向一方の上面には、第２ＬＥＤ４２ｂに通じる窓Ｗが設けられ、この窓Ｗ１には、可視光を透過するプラスチックがはめ込まれている。これにより、使用者は、第１筐体Ｃ１の上面を視認することで、第２ＬＥＤ４２ｂの発光色および点滅も確認できる。
【００４８】
磁気センサ４４は第１筐体Ｃ１の長さ方向他方に内蔵され、磁石４６は、図２（Ａ）に示す閉状態で、磁気センサ４４と最も近い状態となるように、第２筐体Ｃ２の長さ方向一方に内蔵される。そして、磁気センサ４４は、図２（Ａ）に示す状態では最大値を出力し、図２（Ｂ）に示す状態では最小値を出力する。つまり、プロセッサ２４は、磁気センサ４４が最大値を出力すると開状態を検出し、磁気センサ４４が最小値を出力すると閉状態を検出する。
【００４９】
また、携帯電話機１０は開閉の検出に応じてディスプレイ３０の表示を変化させるオープン機能およびクローズ機能を有している。たとえば、携帯電話機１０が閉状態から開状態にされると、オープン機能により、ディスプレイ３０は高輝度表示に切り替えられる。また、携帯電話機１０が開状態から閉状態にされ、さらに無操作状態が２秒間維持されると、クローズ機能によりディスプレイ３０の表示は消去され、ディスプレイ３０およびバックライト３４の電源がオフにされる。
【００５０】
なお、本実施例における無操作状態には、充電の開始／終了による状態変化および音声着信が無い状態も含まれる。
【００５１】
また、磁気センサ４４および磁石４６は検出部と呼ばれることもある。また、検出部として、磁気センサ４４および磁石４６を用いた場合に限定されるものではなく、その他にも、たとえば、開閉の状態に応じて筐体の一方に設けられた押下部が、他方の筐体に設けられた筐体の被押下部を機械的に押下することにより、この押下状態による通電状態の変化などを検出して開閉を検出する機構であってもよい。
【００５２】
さらに、アンテナ１２、無線通信回路１４、プロセッサ２４、表示ドライバ２８、ＢＬ制御回路３２、バックライト３４、フラッシュメモリ３６、ＲＡＭ３８、ＬＥＤ制御回路４０、第１ＬＥＤ４２ａ、電源回路４８および二次電池５０は、第１筐体Ｃ１または第２筐体Ｃ２に内蔵されており、図２（Ａ）−（Ｃ）では図示されない。
【００５３】
図３（Ａ），（Ｂ）は、ディスプレイ３０、第２スピーカ２２ｂ、第２ＬＥＤ４２ｂに対する設定を示す図解図である。図３（Ａ）を参照して、通常モードにおける各種設定は、ユーザ設定テーブルに記憶され、ユーザ設定テーブルは「項目」と「詳細」との行から構成される。たとえば、「ディスプレイ（ＢＬ点灯）」に対応して、「３０秒」が記録される。これは、ディスプレイ３０の高輝度表示は、無操作状態で３０秒間維持されることを示す。
【００５４】
また、「ディスプレイ（微灯）」に対応して、「５秒」が記録される。これは、ディスプレイ３０の低輝度表示（微灯状態）が無操作状態で５秒間維持されることを示す。なお、低輝度表示が無操作状態で５秒維持されると、ディスプレイ３０およびバックライト３４の電源がオフにされる。
【００５５】
つまり、携帯電話機１０は、ディスプレイ３０が高輝度表示に切り替えられ、無操作状態のまま３０秒経過すると、省電力状態に遷移する。また、省電力状態に遷移してから、無操作状態が５秒経過すると、ディスプレイ３０の表示は消去され、さらに消費電力が少ない省電力状態となる。つまり、本実施例では、高輝度状態から低輝度状態に移行した際の当該低輝度状態（微灯状態）を省電力状態と定義するとともに、この省電力状態である低輝度状態（微灯状態）からディスプレイ３０の表示が消去された状態も省電力状態と定義する。
【００５６】
また、「ランプ（通話中ランプ）」に対応して、「ＯＮ」が記録される。これは、通話中に第２ＬＥＤ４２ｂが発光することを示す。また、「ランプ（お知らせランプ）」に対応して、「２秒間隔」が記録される。これは、携帯電話機１０の状態を通知するための第２ＬＥＤ４２ｂが、「２秒間隔」で点滅することを示す。なお、第２ＬＥＤ４２ｂが点滅しないように設定されると、「２秒間隔」の代わりに「ＯＦＦ」が記憶される。
【００５７】
さらに、「キー操作音」に対応して、「ＯＮ」が記録される。これは、フィードバック音が第２スピーカ２２ｂから出力されるように設定されていることを示す。そして、「クローズ」に対応して、「ＯＦＦ」が表示される。これは、クローズ機能が「ＯＦＦ」に設定されていることを示す。この場合、携帯電話機１０が開状態から閉状態にされ、無操作状態が２秒維持されても、ディスプレイ３０およびバックライト３４の電源はオフにされない。
【００５８】
なお、ユーザ設定テーブルは、携帯電話機１０が工場から出荷された状態では、初期値（デフォルト値）が設定されている。また、ユーザ設定テーブルの内容は、図示しない設定ＧＵＩによって任意に変更できる。ただし、他の実施例では、一部の設定は変更できないこともある。
【００５９】
図３（Ｂ）を参照して、省電力モードにおける各種設定は、省電力テーブルに記憶され、その構成はユーザ設定テーブルと同じである。ただし、省電力テーブルでは、「ディスプレイ（ＢＬ点灯）」および「ディスプレイ（微灯）」に対応して、「１０秒」および「５秒」が記録される。つまり、ディスプレイ３０の高輝度表示は無操作状態で１０秒維持され、低輝度表示は無操作状態で５秒維持される。つまり、省電力モードの携帯電話機１０は、通常モードの携帯電話機１０に比べて、２０秒早く省電力状態に遷移する。そのため、省電力モードが設定された携帯電話機１０の消費電力は、通常モードが設定された携帯電話機１０に比べて低くなる。
【００６０】
また、「ランプ（通話中ランプ）」および「ランプ（お知らせランプ）」に対応して、「ＯＦＦ」および「５秒間隔」が記憶される。つまり、第２ＬＥＤ４２ｂは、通話中は電源がオフにされ、携帯電話機１０の状態を通知する場合には「５秒間隔」で点滅する。
【００６１】
さらに、「キー操作音」に対応して「ＯＦＦ」が記憶され、「クローズ」に対応して「ＯＮ」が記憶される。つまり、省電力モードが設定された携帯電話機１０では、キー入力操作に対応するフィードバック音は出力されないように設定され、先のクローズ機能がオンにされる。
【００６２】
ここで、本実施例では、省電力モードの設定内容より、使用者によって任意に設定された内容の方が、消費電力を抑えることができる場合には、使用者の設定が優先される。たとえば、使用者が、設定ＧＵＩに対して、ディスプレイ３０の高輝度表示を無操作状態で維持する時間として「５秒」を設定し、低輝度表示（微灯）を維持する時間として「０秒」を設定すると、ユーザ設定テーブルは図４のように更新される。
【００６３】
図４を参照して、使用者によって設定されたユーザ設定テーブルでは、「ディスプレイ（ＢＬ点灯）」として「５秒」が記憶され、「ディスプレイ（微灯）」として「０秒」が記憶される。この場合、ディスプレイ３０の高輝度表示が無操作状態のまま５秒経過すると、ディスプレイ３０は高輝度表示から低輝度表示に切り替わり、直後にディスプレイ３０およびバックライト３４の電源がオフにされる。つまり、ディスプレイ３０の高輝度表示が維持される時間に着目すれば、使用者によって設定された時間の方が短い。つまり、省電力モードの設定よりも、使用者の設定の方が消費電力を抑えることができる。
【００６４】
そのため、図４に示すユーザ設定テーブルがＲＡＭ３８に記憶され、省電力モードが設定されていれば、ディスプレイ３０の高輝度表示は、無操作状態で５秒間経過すると、低輝度表示に切り替わる。このように、本実施例では、省電力モードであっても、ユーザ設定値を特定時間として設定することができる。
【００６５】
また、本実施例では、省電力状態では、消費電力が大きいディスプレイ３０が低輝度表示に切り替えられるため、消費電力を効果的に抑えることができる。また、本実施例の携帯電話機１０では、消費電力が大きい状態で、携帯電話機１０が使用されないまま放置されると、省電力状態に遷移する。
【００６６】
なお、省電力テーブルも任意に設定できる場合、使用者は、消費電力が抑えられるように設定するだけで、通常モードおよび省電力モードのどちらでも、自身の設定を反映させることができる。つまり、使用者は、省電力モードおよび通常モードを意識せずに設定することができるため、使用者の利便性が向上する。
【００６７】
図５は、ＲＡＭ３８のメモリマップ３００を示す図解図である。ＲＡＭ３８のメモリマップ３００には、プログラム記憶領域３０２およびデータ記憶領域３０４が含まれる。また、プログラムおよびデータの一部は、フラッシュメモリ３６から一度に全部または必要に応じて部分的かつ順次的に読み出され、ＲＡＭ３８に記憶されてからプロセッサ２４によって処理される。
【００６８】
プログラム記憶領域３０２には、携帯電話機１０を動作させるためのプログラムが記憶されている。たとえば、携帯電話機１０を動作させるためのプログラムは、ユーザ設定プログラム３１０、高輝度表示制御プログラム３１２および低輝度表示制御プログラム３１４などから構成されている。
【００６９】
ユーザ設定プログラム３１０は、ユーザ設定テーブルの内容を任意に設定するためのプログラムである。高輝度表示制御プログラム３１２は、高輝度表示のディスプレイ３０を制御するためのプログラムである。低輝度表示制御プログラム３１４は、低輝度表示のディスプレイ３０を制御するためのプログラムである。
【００７０】
なお、図示は省略するが、携帯電話機１０を動作させるためのプログラムには、省電力機能を制御するためのプログラム、文字入力を行うためのプログラム、二次電池５０の充電を制御するためのプログラムおよび電源回路４８を制御するためのプログラムなどが含まれる。
【００７１】
続いて、データ記憶領域３０４には、閾値バッファ３３０が設けられるとともに、ユーザ設定テーブルデータ３３２、省電力テーブルデータ３３４が記憶される。さらに、データ記憶領域３０４には、省電力フラグ３３６、キー操作フラグ３３８、高輝度フラグ３４０、低輝度フラグ３４２、開閉フラグ３４４および充電フラグ３４６が設けられるとともに、高輝度カウンタ３４８も設けられる。
【００７２】
閾値バッファ３３０は、高輝度表示制御プログラム３１２おける、高輝度表示から低輝度表示に切り替える判断処理の閾値を一時的に記憶するバッファである。なお、閾値バッファ３３０に格納される閾値は、特定時間に対応する。ユーザ設定テーブルデータ３３２は、図３（Ａ）または図４に示す構成のテーブルデータである。また、省電力テーブルデータ３３４は、図３（Ｂ）に示す構成のテーブルデータである。
【００７３】
省電力フラグ３３６は、省電力モードが設定されているか否かを判断するためのフラグである。たとえば、省電力フラグ３３６は１ビットのレジスタで構成される。たとえば、省電力フラグ３３６がオン（成立）にされると、レジスタにはデータ値「１」が設定される。一方、省電力フラグ３３６がオフ（不成立）にされると、レジスタにはデータ値「０」が設定される。そして、省電力フラグ３３６は、使用者が省電力モードを設定する操作を行うと、オンにされる。以下、他のフラグでも同じ構成であるため、フラグの構成の詳細な説明は省略する。
【００７４】
キー操作フラグ３３８は、キー入力装置２６が出力するキーデータに基づいてオン／オフが切り替えられるフラグであり、キー入力操作が行われたか否かを判断するために利用される。また、高輝度フラグ３４０および低輝度フラグ３４２は、ＢＬ制御回路３２を制御する命令に応じてオン／オフが切り替えられるフラグである。また、高輝度フラグ３４０はディスプレイ３０が高輝度表示に切り替えられているか否かを判断するために利用され、ディスプレイ３０が低輝度表示に切り替えられているか否かを判断するために利用される。
【００７５】
開閉フラグ３４４は、磁気センサ４４が出力する値に基づいてオン／オフが切り替えられるフラグである。そのため、開閉フラグ３４４がオンであれば携帯電話機１０が開状態であることを示し、オフであれば携帯電話機１０が閉状態であることを示す。充電フラグ３４６は、電源回路４８を制御する命令によってオン／オフが切り替えられるフラグであり、二次電池５０が充電されているか否かを判断するために利用される。高輝度カウンタ３４８は、ディスプレイ３０が高輝度表示であるときに、時間をカウントするためのカウンタである。たとえば、高輝度カウンタ３４８は無操作状態でカウントされ、キー入力操作、音声着信および二次電池５０の充電開始／終了が検出されるとリセットされる。
【００７６】
なお、図示は省略するが、データ記憶領域３０４には、待受画像のデータなどが記憶されると共に、携帯電話機１０の動作に必要なカウンタや、フラグも設けられる。
【００７７】
プロセッサ２４は、Android（登録商標）およびREXなどのLinux（登録商標）ベースのOSや、その他のOSの制御下で、図６に示すユーザ設定処理および図７に示す高輝度表示制御処理などを含む、複数のタスクを並列的に処理する。
【００７８】
図６はユーザ設定処理のフロー図である。たとえば、使用者が図３（Ａ）に示されるユーザ設定テーブルの内容を変更する操作を行うと、プロセッサ２４はステップＳ１で設定ＧＵＩを表示させる。つまり、プロセッサ２４は、ユーザ設定テーブルの各項目を設定可能にするＧＵＩを、ディスプレイ３０に表示する。続いて、ステップＳ３で終了操作か否かを判断する。つまり、ユーザ設定処理を終了する操作が、キー入力装置２６に対して行われたか否かを判断する。ステップＳ３で“ＹＥＳ”であれば、つまり終了操作が行われていれば、ユーザ設定処理を終了する。
【００７９】
一方、ステップＳ３で“ＮＯ”であれば、つまり終了操作が行われていなければ、ステップＳ５で確定操作か否かを判断する。つまり、設定ＧＵＩに対する設定操作の結果を、確定する操作が行われたか否かを判断する。ステップＳ５で“ＮＯ”であれば、確定操作が行われていなければ、ステップＳ７で設定操作か否かを判断する。たとえば、図３（Ａ）に示す「ディスプレイ（ＢＬ点灯）」の項目を設定するための操作が、キー入力装置２６に対して行われたか否かを判断する。ステップＳ７で“ＮＯ”であれば、つまり設定操作が行われていなければ、ステップＳ３に戻る。一方、ステップＳ７で“ＹＥＳ”であれば、たとえば「ディスプレイ（ＢＬ点灯）」の項目を設定するための操作が行われていれば、ステップＳ９で設定処理を実行し、ステップＳ３に戻る。たとえば、キー入力装置２６によって「５」が入力されていれば、図４に示すように、「ディスプレイ（ＢＬ点灯）」の項目が「５秒」に設定される。
【００８０】
また、ステップＳ５で“ＹＥＳ”であれば、つまり確定操作が行われていれば、ステップＳ１１で設定された結果を記憶し、ユーザ設定処理を終了する。たとえば、「ディスプレイ（ＢＬ点灯）」の項目が「５秒」に設定されていれば、図４に示すユーザ設定テーブルをＲＡＭ３８に記憶する。なお、ステップＳ１１の処理を実行するプロセッサ２４は第２記憶部として機能する。
【００８１】
図７は高輝度表示制御処理のフロー図である。プロセッサ２４は、ディスプレイ３０が高輝度表示に切り替えられ、高輝度フラグ３４０がオンにされると、ステップＳ２１で省電力モードか否かを判断する。つまり、省電力フラグ３３６がオンであるか否かを判断する。ステップＳ２１で“ＮＯ”であれば、つまり省電力モードが設定されていなければ、ステップＳ２７に進む。一方、ステップＳ２１で“ＹＥＳ”であれば、つまり省電力モードが設定されていれば、ステップＳ２３でユーザ設定値が省電力設定値よりも小さいか否かを判断する。ステップＳ２３では、まずユーザ設定テーブルにおける、「ディスプレイ（ＢＬ点灯）」の数値をユーザ設定値（第２設定時間）として読み出し、省電力テーブルにおける、「ディスプレイ（ＢＬ点灯）」の数値を省電力設定値（第１設定時間）として読み出す。そして、読み出したユーザ設定値が省電力設定値よりも小さいか否かを判断する。すなわち、プロセッサ２４は、読み出したユーザ設定値による携帯電話機１０の動作による消費電力が、省電力設定値による携帯電話機１０の動作による消費電力より少ない消費電力となるか否かを判断する。なお、ステップＳ２３の処理を実行するプロセッサ２４は判断部として機能する。
【００８２】
たとえば、図３（Ａ）および図３（Ｂ）のテーブルの「ディスプレイ（ＢＬ点灯）」に着目すると、ユーザ設定値は「３０」となり、省電力設定値は「１０」となる。そのため、ステップＳ２３では“ＮＯ”と判断され、ステップＳ２５で省電力設定値に基づいて閾値を設定する。つまり、ステップＳ２５では、省電力設定値である「１０」に基づいて、ディスプレイ３０を低輝度表示（微灯状態）に切り替える判断を行うための閾値を算出し、算出された値を閾値バッファ３３０に格納する。つまり、ステップＳ２５では、省電力テーブルから読み出された省電力設定値を特性時間として設定する。
【００８３】
また、図３（Ｂ）および図４のテーブルの「ディスプレイ（ＢＬ点灯）」に着目すれば、ユーザ設定値が「５」となり、省電力設定値が「１０」となる。そのため、ステップＳ２３では、“ＹＥＳ”と判断され、ステップＳ２７でユーザ設定値に基づいて閾値を設定する。つまり、ステップＳ２７では、ユーザ設置値である「５」に基づいて閾値を算出し、算出された値を閾値バッファ３３０に格納する。つまり、ステップＳ２７では、ユーザ設定テーブルから読み出されたユーザ設定値を特定時間として設定する。なお、ステップＳ２５の処理を実行するプロセッサ２４は設定部として機能する。
【００８４】
ステップＳ２９では、操作されたか否かを判断する。つまり、キー入力装置２６に対してキー入力操作が行われることで、キー操作フラグ３３８がオンにされたか否かを判断する。ステップＳ２９で“ＹＥＳ”であれば、つまりキー入力操作が行われていれば、ステップＳ４３に進む。一方、ステップＳ２９で“ＮＯ”であれば、つまりキー入力操作が行われていなければ、ステップＳ３１で着信したか否かを判断する。たとえば、無線通信回路１４から音声着信が通知されたか否かを判断する。ステップＳ３１で“ＹＥＳ”であれば、つまり無線通信回路１４から着信が通知されていれば、ステップＳ４３に進む。一方、ステップＳ３１で“ＮＯ”であれば、つまり着信していなければステップＳ３３に進む。
【００８５】
続いて、ステップＳ３３では、充電フラグ３４６が変化したか否かを判断する。たとえば、携帯電話機１０の端子Ｔａおよび端子Ｔｂに外部電源が接続されることで、二次電池５０が充電状態となり、充電フラグ３４６がオンとなったか否かを判断する。ステップＳ３３で“ＹＥＳ”であれば、たとえば二次電池５０が充電状態となれば、ステップＳ４３に進む。一方、ステップＳ３３で“ＮＯ”であれば、つまり二次電池５０に変化がなければ、ステップＳ３５に進む。なお、二次電池５０の充電が完了することで充電フラグ３４６がオンからオフに切り替わっても、ステップＳ３３では“ＹＥＳ”と判断される。つまり、ステップＳ３３では、二次電池５０の充電が完了または終了すれば、“ＹＥＳ”と判断される。
【００８６】
ステップＳ３５では、閉状態にされたか否かを判断する。つまり、開閉フラグ３４４がオンからオフに切り替わったか否かを判断する。ステップＳ３５で“ＹＥＳ”であれば、つまり携帯電話機１０が開状態から閉状態にされると、ステップＳ４５に進む。一方、ステップＳ３５で“ＮＯ”であれば、たとえば携帯電話機１０が開状態のままであれば、ステップＳ３７で高輝度カウンタ３４８をインクリメントする。つまり、無操作状態でディスプレイ３０の高輝度表示が維持される時間をカウントするために、高輝度カウンタ３４８はインクリメントされる。
【００８７】
続いて、ステップＳ３９では、高輝度カウンタ３４８の値が閾値よりも大きいか否かを判断する。たとえば、閾値が５秒に相当する値であれば、高輝度カウンタ３４８の値が５秒に相当する値よりも大きいか否かを判断する。つまり、ステップＳ３９では、ディスプレイ３０の高輝度状態が、無操作状態で特定時間（ここでは、５秒）より長い時間維持されたか否かを判断する。ステップＳ３９で“ＹＥＳ”であれば、つまり高輝度カウンタ３４８の値が５秒に相当する値よりも大きければ、ステップＳ４１でディスプレイ３０を微灯状態に設定する。つまり、プロセッサ２４は、ディスプレイ３０を低輝度表示に切り替える命令をＢＬ制御回路３２に発行する。そして、ステップＳ４１の処理が終了すると高輝度表示処理を終了する。なお、ステップＳ４１の処理によってディスプレイ３０が低輝度表示に切り替えられると、低輝度フラグ３４２がオンにされる。
【００８８】
また、ステップＳ３９で“ＮＯ”であれば、つまりディスプレイ３０が高輝度表示にされてから、無操作状態で５秒間経過していなければステップＳ２９に戻る。つまり、ステップＳ２９以降の処理を繰り返す。また、ステップＳ２９-Ｓ３３のいずれかで“ＹＥＳ”であれば、つまりディスプレイ３０が高輝度表示にされ、キー入力操作、音声着信または二次電池５０の充電開始／終了が検出されれば、ステップＳ４３で高輝度カウンタ３４８の値をリセットする。つまり、使用者によって携帯電話機１０が操作されている途中に、ディスプレイ３０が低輝度表示に切り替わらないようにするために、高輝度カウンタ３４８はリセットされる。そして、プロセッサ２４は、ステップＳ４３の処理が終了すると、ステップＳ２１に戻る。これは、キー入力操作によって省電力モードの設定が変更される可能性があるため、高輝度カウンタ３４８がリセットされると、プロセッサ２４はステップＳ２１の処理に戻る。
【００８９】
また、ステップＳ２９−Ｓ３９の処理が繰り返して実行されている途中に、携帯電話機１０が開状態から閉状態にされるとステップＳ３５で“ＹＥＳ”と判断され、ステップＳ４５でクローズが有効であるか否かを判断する。たとえば、省電力モードが設定されていなければ、図４に示す「クローズ」の項目が「ＯＮ」であるか否かを判断する。つまり、ステップＳ４５ではクローズ機能が有効にされているか否かを判断する。ステップＳ４５で“ＮＯ”であれば、つまりクローズ機能が有効にされていなければ、ステップＳ３７に戻る。一方、ステップＳ４５で“ＹＥＳ”であれば、つまりクローズ機能が有効にされていれば、ステップＳ４７でタイマ処理を実行する。つまり、携帯電話機１０が閉状態になると同時にディスプレイ３０およびバックライト３４の電源がオフにされないようにするため、２秒間のタイマ処理が実行される。そして、ステップＳ４５で２秒間のタイマ処理が実行されると、ステップＳ４９でディスプレイ３０およびバックライト３４の電源をオフにして、高輝度表示制御処理を終了する。つまり、ステップＳ４９の処理が実行されると、ディスプレイ３０の表示が消去される。
【００９０】
なお、ステップＳ２９−Ｓ３９の処理は、約１０ｍｓ毎に繰り返される。そのため、高輝度カウンタ３４８は１０ｍｓ毎にカウント（インクリメント）される。したがって、特定時間が５秒であれば、閾値は「５００」となる。ただし、他の実施例では、ステップＳ２９-Ｓ３９の繰り返しが１秒毎に行われるようにタイマ処理を実行することで、ユーザ設定値または省電力設定値をそのまま閾値として設定できるようにしてもよい。
【００９１】
また、低輝度表示処理は、高輝度表示処理のフロー図とおおむね同じであるため、フローの図示は省略する。低輝度表示処理において、ステップＳ２３に相当する処理では、各テーブルの「ディスプレイ（微灯）」の項目が比較され、ステップＳ２５，Ｓ２７に相当する処理では、上記項目の数値に基づいて特定時間が設定される。また、ステップＳ３７，Ｓ３９，Ｓ４３に相当する処理では、高輝度カウンタ３４８に代えて低輝度カウンタ（図示せず）の値がインクリメント、比較またはリセットされる。そして、ステップＳ３９で“ＹＥＳ”と判断された場合には、ステップＳ４１の処理ではなく、ステップＳ４９に相当する処理が実行される。つまり、ディスプレイ３０が低輝度表示の場合に、特定時間が経過すると、ディスプレイ３０およびバックライト３４の電源がオフにされる。
【００９２】
以上の説明から分かるように、携帯電話機１０は、キー入力装置２６、ディスプレイ３０およびＲＡＭ３８などを備える。また、省電力モードが設定可能な携帯電話機１０は、ディスプレイ３０が高輝度表示で、キー入力操作が行われないまま、特定時間が経過すると、省電力状態に遷移する。ＲＡＭ３８には、ユーザ設定値および省電力設定値が読み出される２つのテーブルが記憶される。使用者によって任意に設定された時間は、ユーザ設定値としてＲＡＭ３８のユーザ設定テーブルに記憶される。そして、携帯電話機１０に省電力モードが設定され、ディスプレイ３０が高輝度表示に切り替えられると、プロセッサ２４はユーザ設定値が省電力設定値より短ければ、ユーザ設定値を特定時間として設定する。
【００９３】
たとえば、各テーブルの「ディスプレイ（ＢＬ点灯）」に着目する場合には、ユーザ設定値として「５秒」が読み出され、省電力設定値として「１０秒」が読み出される。そして、特定時間は「１０秒」に設定される。
【００９４】
これにより、省電力モードの設定よりも、使用者による設定の方が消費電力を抑えることができれば、使用者の設定が優先される。
【００９５】
なお、他の実施例では、ユーザ設定テーブルおよび省電力テーブルに、メール着信時の鳴動設定などが含まれていてもよい。
【００９６】
また、メール着信時の鳴動設定や、ランプの設定などでも、高輝度表示処理と同様、使用者による設定が優先されてもよい。
【００９７】
また、音声着信音や、フィードバック音などの出力を禁止するマナーモードが設定可能な場合、キー操作音が「ＯＮ」にされていても、フィードバック音を出力せずに、マナーモードの設定が優先される。
【００９８】
また、携帯電話機１０の通信方式はCDMA方式に限らず、LTE(Long Term Evolution)方式、W-CDMA方式、GSM方式、TDMA方式、FDMA方式およびPHS方式などを採用してもよい。さらに、ディスプレイ３０にはLCDモニタが利用されるが、有機ELパネルなどの他の表示装置が利用されてもよい。
【００９９】
また、二次電池５０としてリチウムイオン電池を採用したが、鉛蓄電池、ニッケル水素電池、ナトリウムイオン電池、金属空気電池および亜鉛臭素電池などであってもよい。また、二次電池５０に代えて、アルカリ電池などの１次電池または燃料電池などが採用されてもよい。
【０１００】
また、携帯電話機１０の形状は、２つの筐体のスライド型であったが、３つ以上の筐体のスライド型であってもよい。さらに、携帯電話機１０の形状は、１軸の折り畳み型、２軸の折り畳み型や、ストレート型およびリボルバー型などであってもよい。
【０１０１】
さらに、本願発明は、携帯電話機１０のみに限らず、スマートフォン、PDA(Personal Digital Assistant)およびノート型PC（ネットブックなども含む）に適用されてもよい。
【０１０２】
そして、本明細書中で挙げた、時間および閾値などの具体的な数値は、いずれも単なる一例であり、製品の仕様などの必要に応じて適宜変更可能である。
【符号の説明】
【０１０３】
１０    …  携帯電話機
１２    …  アンテナ
１４    …  無線通信回路
２４    …  プロセッサ
２６    …  キー入力装置
３０    …  ディスプレイ
３２    …  ＢＬ制御回路
３４    …  バックライト
４８    …  電源回路
５０    …  二次電池
【図１】
2011233948.tif 000003
【図２】
2011233948.tif 000004
【図３】
2011233948.tif 000005
【図４】
2011233948.tif 000006
【図５】
2011233948.tif 000007
【図６】
2011233948.tif 000008
【図７】
2011233948.tif 000009